(57)【要約】【課題】本発明は、棚板錠に設置される仕切り板取り付け装置に関し、簡単な構成で、書籍を保持する力が強く、左右移動は非常に円滑で、棚板、背板等に切り欠き部を設ける必要もなく、見栄え、操作性に優れた仕切り板取り付け装置を提供することを課題とするものである。【解決手段】仕切り板本体後部に連結される連結固定部と、棚板の後方に形成されたスライド案内溝を挿通し連結固定部の下方に連設された案内挿通部と、案内挿通部の下方に連設され、スライド案内溝に挿通可能で、案内挿通部がスライド案内溝内に位置した状態で、棚板の下方に突出する固定具取付部からなる固定具装着用部材と、棚板下方で固定具取付部に係脱自在で、固定具取付部に係合した状態で固定具取付部に係合し、仕切り板本体の不測のスライド移動を防止するとともに、仕切り板の浮き上がりを防止する支持突部を有する逆Ｌ字形の固定具より構成されているものである。【選択図】図５
2013226248.tif 000002
【特許請求の範囲】
【請求項１】
仕切り板本体と、仕切り板本体後部に連結される連結固定部と、本立ての左右の側板間に配設された棚板の後方に形成されたスライド案内溝に挿通し、連結固定部の下方に連設された案内挿通部と、案内挿通部の下方に連設され、スライド案内溝に挿通可能で、案内挿通部がスライド案内溝内に位置した状態で、棚板の下方に突出する固定具取付部からなる固定具装着用部材で構成される仕切り板と、棚板下方で固定具取付部に係脱自在で、固定具取付部に係合し、仕切り板の不測のスライド移動を防止するとともに、仕切り板の浮き上がりを防止する支持突部を有する逆Ｌ字形の固定具よりなることを特徴とする仕切り板取り付け装置。
【請求項２】
仕切り板の下面と支持突部の上面間の間隔が、棚板の厚みより広く形成され、仕切り板の下面と支持突部の上面は接触せず近接状態とされていることを特徴とする請求項１に記載の仕切り板取り付け装置。
【請求項３】
仕切り板の下面と支持突部の上面が棚板の上面と下面に当接することによって仕切り板が棚板に挟持保持されていることを特徴とする請求項１に記載の仕切り板取り付け装置。
【請求項４】
連結固定部は、仕切り板本体より幅狭で、案内挿通部と支持突部は、連結固定部より幅広に形成されていることを特徴とする請求項１または２または３に記載の仕切り板取り付け装置。
【請求項５】
固定具取付部は、左右方向に所定間隔を有して下方に突出し、先端に係合突起が形成された弾性突出脚部を有し、固定具は、弾性突出脚部が上下方向に挿通可能で下端に係合部が形成された嵌合固定孔を有し、係合突起が係合部に係合して固定具取付部に取り付けられていることを特徴とする請求項１〜４何れか１項に記載の仕切り板取り付け装置。
【請求項６】
固定具装着用部材は合成樹脂材より一体に形成され、連結固定部は仕切り板本体の背面と連結される垂直固定部と、仕切り板本体の下方後端部に形成された取付用切り欠き部に外嵌する水平固定部よりなることを特徴とする請求項５に記載の仕切り板取り付け装置。
【発明の詳細な説明】
【技術分野】
【０００１】
本発明は、書籍等を整頓するため、左右方向に移動自在に、本立て等に取り付けられる仕切り板の取り付け装置に関する。
【背景技術】
【０００２】
本立てに取り付けられる仕切り板は、仕切り板同士、あるいは、仕切り板と本立ての側板間に書籍等を挟みこんで、棚板上に整然と立設させるために左右移動可能に取り付けられているが、移動するときは円滑に移動し、書籍等を挟み込んだきは容易に移動しないようにする必要がある。
そして、従来の仕切り板取り付け装置として代表的なものは、仕切り板の背面にフックを取り付け、このフックを棚板に取り付けるようにしたものである。
すなわち、フックは仕切り板本体の背面に固定される固定部と、固定部の下端から下方に延設されていて、仕切り板本体の背面下端から延びる垂下部と、垂下部の下端から前方に延び出ており、仕切り板の底面と協働して棚板を挟むための挟持部よりなるものである。
（例えば、特許文献１参照。）
【０００３】
上記構成によると、フックは、固定部と垂下部と挟持部が一体となった構成であるため、仕切り板本体を棚板に装着するときは、一旦、本立てから棚板をとり外した状態でフックが取り付けられた仕切り板本体を棚板に装着し、再度、仕切り板が装着された棚板を本立てに取り付けるか、あるいは、棚板の背面と本棚の背板の前面との間の間隙（垂下部が挿通する間隙）に連続して、棚板に挟持部と垂下部が挿通可能な切り欠き部を形成し、この切り欠き部からフックが取り付けられた仕切り板本体を装着しなければならなかった。
すなわち、前者の場合、特に、書籍等が棚板に載置されているときに、仕切り板を増設したり、あるいは、仕切り板を取り除いたりする場合、一旦、書籍等を棚板上から取り除かねばならず、作業が非常に煩雑であった。
又、後者の場合、棚板に切り欠き部が露出するので見栄えがよくないだけでなく、切り欠き部から棚板上の小物が落下することがある。また、仕切り板を装着するための切り欠き部から逆に仕切り板が外れることがあるため、通常、切り欠き部を棚板の左右両端に設けることが多いが、そのため、仕切り板を左右両端に寄せることができなくなり使い勝ってもよくなかった。
仕切り板の底部と挟持部で棚板を常に挟持する構成であるから、書籍等を挟み込んだときの挟持力も、棚板を左右に移動するときの挟持力も同じであるため、仕切り板の左右移動を円滑にすればするほど、書籍を支持する力が弱くなり、書籍を保持する力を強くすればするほど、仕切り板の左右移動を円滑に行うことができないという問題があった。
【先行技術文献】
【特許文献】
【０００４】
【特許文献１】特許第４４６０５４７号公報
【発明の概要】
【発明が解決しようとする課題】
【０００５】
本願発明は、このような問題に鑑み、簡単な構成で、書籍を保持する力が強く、しかも、仕切り板自体の左右移動は非常に円滑で、棚板等に仕切り板取り付け用の切り欠きを設ける必要がなく、見栄え、操作性に優れた仕切り板取り付け装置を提供することを課題とするものである。
【課題を解決するための手段】
【０００６】
そこで、上記課題を解決する為、本発明が第１の手段として構成したところは、仕切り板本体と、仕切り板本体後部に連結される連結固定部と、本立ての左右の側板間に配設された棚板の後方に形成されたスライド案内溝に挿通し、連結固定部の下方に連設された案内挿通部と、案内挿通部の下方に連設され、スライド案内溝に挿通可能で、案内挿通部がスライド案内溝内に位置した状態で、棚板の下方に突出する固定具取付部からなる固定具装着用部材で構成される仕切り板と、棚板下方で固定具取付部に係脱自在で、固定具取付部に係合し、仕切り板の不測のスライド移動を防止するとともに、仕切り板の浮き上がりを防止する支持突部を有する逆Ｌ字形の固定具よりなるものである。
【０００７】
次に上記課題を解決する為、本発明が第２の手段として構成したところは、第１の手段に加え、仕切り板の下面と支持突部の上面間の間隔が、棚板の厚みより広く形成され、仕切り板の下面と支持突部の上面は接触せず近接状態とされているものである。
【０００８】
次に上記課題を解決する為、本発明が第３の手段として構成したところは、第１の手段に加え、仕切り板の下面と支持突部の上面が棚板の上面と下面に当接することによって仕切り板が棚板に挟持保持されているものである。
【０００９】
次に上記課題を解決する為、本発明が第４の手段として構成したところは、第１の手段、あるいは第２の手段、あるいは第３の手段に加え、連結固定部は、仕切り板本体より幅狭で、案内挿通部と支持突部は、連結固定部より幅広に形成されているものである。
【００１０】
次に上記課題を解決する為、本発明が第５の手段として構成したところは、第１の手段、あるいは第２の手段、あるいは第３の手段、あるいは第４の手段に加え、固定具取付部は、左右方向に所定間隔を有して下方に突出し、先端に係合突起が形成された弾性突出脚部を有し、固定具は、弾性突出脚部が上下方向に挿通可能で下端に係合部が形成された嵌合固定孔を有し、係合突起が係合部に係合して固定具取付部に取り付けられているものである。
【００１１】
次に上記課題を解決する為、本発明が第６の手段として構成したところは、第５の手段に加え、固定具装着用部材は合成樹脂材より一体に形成され、連結固定部は仕切り板本体の背面と連結される垂直固定部と、仕切り板本体の下方後端部に形成された取付用切り欠き部に外嵌する水平固定部よりなるものである。
【発明の効果】
【００１２】
第１手段として構成したところによると、仕切り板の案内挿通部がスライド案内溝に挿通した状態で、固定具取付部を棚板の下方に突出せしめ、この固定具取付部に固定具が係合する。支持突部を固定具に設けているので、仕切り板の浮き上がりを防止できる。
そして、固定具を取り外すと、支持突部が棚板下面に当接しなくなり、仕切り板（仕切り板本体に固定具装着用部材が取り付けられたもの）を、上方に取り外すことができる。
したがって、仕切り板を外すために棚板を取り外す必要がなく、また、仕切り板の取り付けも、再度固定具を固定具取付部に係合すればいいだけなので仕切り板を所望の書籍間に位置させることも適宜、容易に行うことができる。
そして、固定具は、逆Ｌ字形で支持突部が前方に突き出しているため、支持突部の上面と棚板下面との当接部を大きくできるので、不測に仕切り板が移動することがなく、かつ、棚板下部の空間に無用な突起部がないので、棚板下部の空間を有効に利用できる。
【００１３】
第２手段として構成したところによると、仕切り板の下面と支持突部の上面間の間隔を、棚板の厚みよりやや広く形成しているため、仕切り板の下面と支持突部の上面間は、近接状態、すなわち非接触であるので、仕切り板のスライド移動をスムーズに行えるとともに、仕切り板に書籍などの荷重がかかると、仕切り板が荷重の受け面と反対側に若干傾き、仕切り板の下面と支持突部の上面角部（仕切り板の傾き方向と反対側の左右いずれかの角部）とがそれぞれ、棚板の上面と下面と当接し抵抗となるので、不測に仕切り板が移動することがない。
【００１４】
第３手段として構成したところによると、仕切り板の下面と支持突部の上面とがそれぞれ、棚板の上面と下面と当接し、棚板を挟持するので、不測に仕切り板がスライド移動することがなく、確実に仕切り板の位置を固定することができる。
また、仕切り板を左右方向に移動する場合、固定具を外して、スライド案内溝から仕切り板を取り外して移動できるので、棚板や背板に擦り傷をつけることがない。
【００１５】
第４手段として構成したところによると、連結固定部を、仕切り板本体より幅狭にして形成しているので、仕切り板本体を、仕切り板本体の前方側より見た時、垂直固定部が、仕切り板本体の背面の陰に隠れ、垂直固定部が視認しにくくなる。
したがって、仕切り板の色合いと連結固定部の色合いをしっかり合わせる必要がないので安価に製作できるばかりではなく、仕切り板本体が一枚板で構成されたように見える美観に優れた効果がある。
そして、案内挿通部を、連結固定部より幅広に形成しているので、前述の仕切り板に書籍などが寄りかかり、仕切り板後端部を中心軸として、仕切り板の前部が左右方向に振れる荷重がかかった場合、連結固定部の前面が、近接する棚板の端面に当接し、仕切り板の前部の左右方向の振れを防止する。
また、支持突部も、連結固定部より幅広に形成しているので、前述の仕切り板に書籍などの荷重がかかると、仕切り板が荷重の受け面と反対側に若干傾き、仕切り板の下面と支持突部の上面角部とがそれぞれ、棚板の上面と下面と当接し抵抗となる時、仕切り板の傾き量を小さくできる。さらに、前述の仕切り板の下面と支持突部の上面とが、それぞれ、棚板の上面と下面と当接し、棚板を挟持する時、棚板の下面に当接する面積が広くなるので、確実に仕切り板の位置を固定することができる。
したがって、仕切り板の耐荷重性がよく、コストが安く美観に優れた仕切り板を提供することができる。
【００１６】
第５手段として構成したところによると、弾性突出脚部は、左右方向に所定間隔を有して下方に突出しているので、固定具を弾性突出脚部から取り外す場合は、２つの弾性突出脚部を近づける方向に弾性変形させて、係合突起と係合部の係合状態を外すだけでよく、工具が不要で操作が容易である。
【００１７】
第６の手段として構成したところによると、固定具装着用部材を、合成樹脂材で一体に形成してので、部材点数が少なくなり、部材管理が容易である。また、連結固定部を、仕切り板本体の背面と連結する垂直固定部と、仕切り板本体の下方後端部に形成する取付用切り欠き部に外嵌するＵ字形の水平固定部とで構成しているから、仕切り板本体と固定具装着部材との連結状態が強固である。
【図面の簡単な説明】
【００１８】
【図１】本立てに仕切り板を取り付けた状態の正面図。
【図２】図１に対応する平面図。
【図３】図１のＡ−Ａ線断面図。
【図４】図１のＢ部拡大図。
【図５】図４のＣ−Ｃ線断面図。
【図６】実施例２のおける図４のＣ−Ｃ線に相当する断面図。
【図７】固定具装着用部材の正面図。
【図８】固定具装着用部材の縦断面図。
【図９】固定具の正面図。
【図１０】固定具の縦断面図。
【発明を実施するための形態】
【００１９】
本発明は、仕切り板本体と、仕切り板本体後部に連結される仕切り板本体より幅狭の連結固定部と、連結固定部の下方に連設され、本立ての左右の側板間に配設された棚板の後方に形成されたスライド案内溝に挿通し、連結固定部より幅広で連結固定部の下方に連設された案内挿通部と、案内挿通部の下方に連設され、スライド案内溝に挿通可能で、案内挿通部がスライド案内溝内に位置した状態で、棚板の下方に突出する固定具取付部からなる固定具装着用部材で構成される仕切り板と、棚板下方で固定具取付部に係脱自在で仕切り板本体の不測のスライド移動を防止するとともに、仕切り板の浮き上がりを防止する支持突部を有する逆Ｌ字形の固定具より構成されており、固定具取付部は、左右方向に所定間隔を有して下方に突出し、先端に係合突起が形成された弾性突出脚部を有し、固定具は、弾性突出脚部が上下方向に挿通可能で下端に係合部が形成された嵌合固定孔を有し、係合突起が係合部に係合して固定具取付部に固定具が取り付けられ、固定具装着用部材は合成樹脂材より一体に形成され、連結固定部は仕切り板本体の背面と連結される垂直固定部と、仕切り板本体の下方後端部に形成された取付用切り欠き部に外嵌する略Ｕ字形の水平固定部よりなりなるものである。
【実施例１】
【００２０】
第１実施例を、添付図面に基づいて詳述する。
図１において、符号１は本立てを示し、符号２は仕切り板を示し、符号５は固定具を示している。
本立て１は左右に所定間隔を有して立設された左右の側板１１、１１と、左右の側板１１、１１の後端間に配設された背板１２と、左右の側板１１、１１間の所定高さに配設された棚板１３より構成され、棚板１３の後面には所定奥行きの切り欠きを設け、背板１２の前面間に、後記する仕切り板２が左右方向に移動するための所定幅のスライド案内溝１４が形成されている。
実施例では、スライド案内溝１４は、切り欠きと背板１２で形成しているが、棚板１３の後部の幅方向に、所定奥行きの上下に貫通する細溝を加工することで形成してもよい。
また、棚板１３の配設位置をやや前方にずらして、棚板１３の後端面と背板１２の前面間に隙間を設けることで形成してもよい。この場合、棚板に切り欠きを設ける必要がないので安価に製作することができる。
【００２１】
仕切り板２は、略方形状の扁平板体からなる仕切り板本体２１と、仕切り板本体２１の後部の切り欠き部２９に連結される固定具装着用部材３より構成されている。
仕切り板本体２１は、後端面下部に連結用嵌合孔２２と、連結用嵌合孔２２の下方位置に連結金具挿入孔２３が設けられ、連結金具挿入孔２３の前端部分に、連結金具挿入孔２３に直交する方向の被連結金具取付孔２４が右側面側から形成され、連結金具挿入孔２３の下方角部で、仕切り板本体２１の下方後端部に所定奥行きの取付用切り欠き部２５が形成されている。
尚、仕切り板２に切り欠き部２９を設けず、仕切り板２の後端面に、直接、固定具装着用部材３を連結してもよい。
符号２６、２６は、仕切り板本体２１の前部下面と、仕切り板本体２１の上部後面に取り付けられ、それぞれ、棚板１３の上面と背板１２の前面に当接し、仕切り板２の移動時、棚板１３の上面と、背板１２の前面に傷つくのを防止すると共に、仕切り板２の立設時に仕切り板２が不測に滑らないようにするための、フェルト、あるいは、ゴム材等からなる不滑性保護部材を示している。
【００２２】
固定具装着部材３は、仕切り板本体２１の後端面下部に連結される連結固定部３１と、連結固定部３１の下方に連設され、スライド案内溝１４に挿通する案内挿通部３２と、案内挿通部３２の下方に連設され、スライド案内溝１４に挿通可能な固定具取付部３３より、合成樹脂材にて一体に形成されている。
【００２３】
連結固定部３１は、仕切り板本体２１の厚みよりやや幅狭で、仕切り板本体２１の後端面と連結される垂直固定部３１１と、仕切り板本体２１の取付用切り欠き部２５に外嵌する略Ｕ字形の水平固定部３１２よりなるものである。
垂直固定部３１１を仕切り板本体２１よりやや幅狭に構成することによって、仕切り板本体２１を仕切り板本体２１の前方側から見た時、垂直固定部３１１が仕切り板本体２１の背面の陰に隠れ、垂直固定部３１１が視認しにくくなり、仕切り板本体２１が一枚板で構成されているように見える美観に優れた効果がある。
実施例において、連結固定部３１は、仕切り板本体２１の厚みに対して２ミリメートル幅狭に形成されている。
また、水平固定部３１２が、仕切り板本体２１の取付用切り欠き部２５に外嵌するので、仕切り板２が仕切り板２の後端部を中心軸に、仕切り板２の前部が左右方向に振れた場合、仕切り板本体２１と固定具装着部材３は、同じに左右方向に振れるため、前述の仕切り板本体２１の後部の切り欠き部２８と固定具装着用部材３との連結部に負荷がかかり過ぎることによって起きる破損を防止することができる。
そして、垂直固定部３１１の背面側には連結用凹部３１３が形成され、前面側には、前記仕切り板本体２１の連結用嵌合孔２２に嵌合する嵌合突起３１４と、連結金具挿入孔２３に対応して連結用孔３１５が形成されている。
【００２４】
案内挿通部３２は連結固定部より幅広で、仕切り板２が取り付けられた状態で、スライド案内溝１４内を左右に移動可能となる、溝幅よりやや狭い厚みを有し、下端面３２１が棚板１３の下面高さと同程度の大きさに形成されている。
符号３２０は、固定具装着部材３が合成樹脂材で成型されたとき、各部分の厚みをほぼ同じにして、冷却時にヒケを生じさせないために設けられた凹部を示している。
【００２５】
固定具取付部３３は、連結固定部３１の垂直固定部３１１とほぼ同幅で、案内挿通部３２のほぼ半分程度の厚みで、案内挿通部３２の前面側に位置して下方に突出する略方形状の基板３３１と、基板３３１の左右両端部より、所定の間隔を有して下方に突出し、基板３３１の左右両端部より外向きに突出する左右の係合突起３３３、３３３が先端（下端）に形成された左右の弾性突出脚部３３２、３３２より構成されている。
【００２６】
固定具５は  上端部前面から前方に突出し、連結固定部３１の垂直固定部３１１よりやや幅広に形成された、支持突部５１と、支持突部５１の後端部の下方に連設され、基板３３１、左右の弾性突出脚部３３２、３３２が嵌入する、幅方向（左右方向）中央部に形成された嵌合固定孔５３と、係合突起３３３、３３３が係合する、嵌合固定孔５３の下端で幅方向の外側に形成された左右の係合部５４、５４を有する係合固定部５５より側面視逆Ｌ字形に合成樹脂材より一体に形成されている。
【００２７】
上記の如く構成された固定具装着部材３は、被連結金具２７を被連結金具取付孔２４に嵌入した状態の仕切り板本体１２の取付用切り欠き部２５に水平固定部３１２を外嵌し、連結用嵌合孔２２に嵌合突起３１４を嵌入し、連結用孔３１５から連結金具挿入孔２３に連結金具２８を挿通させて被連結金具２７と螺合することで、仕切り板本体２１の後部に連結され、仕切り板２を構成する。
【００２８】
そして、仕切り板２は、固定具取付部３３、案内挿通部３２を、棚板１３の所望位置で、上方よりスライド案内溝１４に挿通し、固定具取付部３３を棚板１３の下方に突出する。次に、上記仕切り板２を左右の所望位置（本立て１の側板１１間に書籍を挟み込んで整然と立設させる位置）まで移動させ、その状態を維持し、固定具取付部３３の下方から固定具５を上方に移動させ、嵌合固定孔５３に弾性突出脚部３３２、３３２を嵌入し、係合突起３３３、３３３を係合部５４、５４に係合させる。
この時、案内挿通部３２の下端面３２１、３２１と固定具５の嵌合固定孔５３の上端部付近の上端面５３１が当接するが、仕切り板２の下面と支持突部５１の上面間の間隔が、棚板１３の厚みよりやや広く形成されるように、案内挿通部３２の下端面３２１、３２１の位置が設定されている。この状態で係合突起３３３、３３３の上面３３４、３３４は、係合部５４、５４に密接するように寸法設定されているので、仕切り板２の下面と支持突部５１の上面間の間隔が広がることはない。
【００２９】
したがって、棚板１３の下面と支持突部５１の上面の間は、近接状態で非接触とすることができるので、仕切り板２の左右スライド移動をスムーズに行えるとともに、仕切り板２に書籍などの荷重がかかると、仕切り板２が荷重の受け面と反対側に若干傾き、仕切り板本体２１の下面（不滑性保護部材２６）と支持突部５１の上面角部（仕切り板の傾き方向と反対側の左右いずれかの角部）とが、それぞれ、棚板１３の上面と下面と当接し抵抗となるので、不測に仕切り板２が移動することがない。
尚、支持突部５１の前方への突出量が大きいと棚板１３の上面と下面と当接部が増し、抵抗が大きくなる。
また、棚板１３の下面と支持突部５１の上面の間は、間隔が小さいほど仕切り板２が荷重を受けたときの仕切り板２の傾きが抑えられ、間隔が大きいほど仕切り板２の左右スライド移動がスムーズに行えるので、前記間隔が１ミリメートル以下にするのが望ましい。
さらに、支持突部５１の左右方向の幅を大きくすると、前述の仕切り板２の傾きが抑えられるので、実施例において、支持突部５１の左右方向の幅は、案内挿通部３２の幅よりもさらに幅広に形成されている。
当然のごとく、支持突部５１は、仕切り板２が上方に抜けるのを防止している。
【００３０】
尚、支持突部５１の上面所望位置に、仕切り板本体２１の不滑性保護部材２６と同様に不滑性保護部材を設けること、あるいは、仕切り板本体２１に不滑性保護部材２６を設けないことは、棚板１３の材質等によって適宜選択できるところである。
【００３１】
一方、仕切り板２を他の棚板、あるいは、他のスライド案内溝に移動させるときは、係合突起３３３、３３３を外側から指先で挟んで、左右の弾性突出脚部３３２、３３２が近づく方向に弾性変移させ、係合突起３３３、３３３と係合部５４、５４の係合状態を逸脱させ、固定具５を固定具取付部３３から下方引き出す。この状態で、仕切り板２は容易に棚板１３の上方に抜き出すことも、左右に移動させることも容易となる。
そして、所望の位置に移動させた後、前述と同様にして固定具５を取り付ける。
【実施例２】
【００３２】
第２実施例は、大部分が実施例１と同じ構成であるので相違点を図６に基づいて詳述する。
仕切り板２は、固定具取付部３３、案内挿通部３２を、棚板１３の所望位置で、上方よりスライド案内溝１４に挿通し、固定具取付部３３を棚板１３の下方に突出する。次に、上記仕切り板２を左右の所望位置（本立て１の側板１１間に書籍を挟み込んで整然と立設させる位置）まで移動させ、その状態を維持し、固定具取付部３３の下方から固定具５を上方に移動させ、嵌合固定孔５３に弾性突出脚部３３２、３３２を嵌入し、係合突起３３３、３３３を係合部５４、５４に係合させるのは実施例１と同じであるが、この時、案内挿通部３２の下面３２１、３２１と固定具５の嵌合固定孔５３の上端部付近の上面５３１が当接した状態で、仕切り板２の下面と支持突部５１の上面間の間隔が、棚板１３の厚みと同一か、若干狭くなるように、案内挿通部３２の下端面３２１、３２１の位置が設定されている。
この状態で係合突起３３３、３３３の上面３３４、３３４は、係合部５４、５４に密接するように寸法設定されているので、仕切り板２の下面と支持突部５１の上面間の間隔が広がることがないのは実施例１と同じである。
したがって、この状態で、支持突部５１の上面が棚板１３の下面に密接し、同時に仕切り板本体２１の下面（不滑性保護部材２６）が棚板１３の上面に密接するので、棚板１３を挟持することとなり、仕切り板２は不用意に移動しない。
【産業上の利用可能性】
【００３３】
以上のように、本発明は、棚板上に設置され、書籍等を起立姿勢で整然と保持するとともに、書籍の増加、減少、位置の変更に対しても、取り付け、取り外し、左右への移動が容易な、仕切り板の取り付け装置に関するもので、家庭で使用する個人の本立てだけにかかわらず、図書館あるいは書店の書棚など広く利用することができる。
【符号の説明】
【００３４】
１                本立て
１１、１１        左右の側板
１２              背板
１３              棚板
１４              スライド案内溝
２                仕切り板
２１              仕切り板本体
２５              取付用切り欠き部
３                固定具装着部材
３１              連結固定部
３１１            垂直固定部
３１２            水平固定部
３２              案内挿通部
３３              固定具取付部
３３２、３３２    弾性突出脚部
３３３、３３３    係合突起
５                固定具
５１              挟持用支持突部
５３              嵌合固定孔
５４、５４        係合部
【図１】
2013226248.tif 000003
【図２】
2013226248.tif 000004
【図３】
2013226248.tif 000005
【図４】
2013226248.tif 000006
【図５】
2013226248.tif 000007
【図６】
2013226248.tif 000008
【図７】
2013226248.tif 000009
【図８】
2013226248.tif 000010
【図９】
2013226248.tif 000011
【図１０】
2013226248.tif 000012